(57)【要約】      （修正有）【課題】筐体に接続された放熱部の温度を使用者が任意に設定することができる電子機器を提供する。【解決手段】筐体３と係止フック１４ｃは、熱伝導調整手段である熱伝導調整部材４に接触されており、熱伝導調整部材４は、軸を中心にして回動可能な構成となっている。筐体内の熱を外部に効率よく放熱するには、筐体３と熱伝導調整部材４と係止フック１４ｃを伝わる熱伝導率を最も高くすればよく、熱伝導調整部材４を回転させ、熱伝導部材が筐体３と係止フック１４ｃに接触するようにする。また、放熱を最小限に抑えるには、熱伝導率を最も低くすればよく、熱伝導調整部材４を回転させて、断熱部材が筐体３と係止フック１４ｃに接触するようにする。【選択図】図２
2005150244.tif 000002
【特許請求の範囲】
【請求項１】
筐体外部に取付けられ、筐体内部の熱を放熱する放熱部を備える電子機器であって、
前記筐体と、前記放熱部と、該筐体と該放熱部との間に位置して、それぞれに接触して設けられている熱伝導調整手段と、を備え、
前記熱伝導調整手段は、熱伝導部材及び断熱部材からなり、前記筐体と前記放熱部に前記熱伝導部材と前記断熱部材が接触する接触面積を調整することによって、前記放熱部の放熱量を制御することを特徴とする電子機器。
【請求項２】
前記熱伝導調整手段は、円柱状を有し、該円柱の一部に扇型の前記熱伝導部材、残りの部分に前記断熱部材を配置し、前記円柱の中心に回転軸を設けたことを特徴とする請求項１に記載の電子機器。
【請求項３】
前記放熱部は、ハンドストラップであることを特徴とする請求項１又は２に記載の電子機器。
【発明の詳細な説明】
【技術分野】
【０００１】
本発明は、筐体内の熱を外部に放熱するための制御を行う電子機器に関するものである。
【背景技術】
【０００２】
電子機器の一例として、ビデオカメラレコーダや携帯電話のハンドストラップを有する機器およびノートブック型パソコンがある。例えば、特許文献１に記載されているように、本体部（筐体部）の発熱源から出される熱を表示部に運び表示部からの放熱を可能とする技術が公知となっている。また、ビデオカメラレコーダにおいても、筐体内部の発熱を外部に放熱する手段として、筐体部と熱伝導のよい部材を用いたハンドストラップを接続して熱を外部に放熱することが知られている。
【特許文献１】特開２０００−１０６６１号公報
【発明の開示】
【発明が解決しようとする課題】
【０００３】
しかしながら、上述した従来の電子機器では、筐体内部の熱を外部に放熱することのみが考量されているので、筐体内部の発熱量が大きい場合や或いは使用状態によって発熱量が大きくなった場合に、例えば、放熱部がハンドストラップとすると、熱くなりすぎて、手に保持できなくなる可能性があった。
【０００４】
そこで、本発明は、上述した事情に鑑みて提案されたもので、外気温度に応じて、筐体に接続された放熱部の温度を使用者が任意に調整することができる電子機器を提供することを目的とするものである。
【課題を解決するための手段】
【０００５】
本発明に係る電子機器は、上述した課題の解決をするために、以下の特徴点を備えている。
【０００６】
本発明に係る電子機器は、筐体外部に取付けられ、筐体内部の熱を放熱する放熱部を備える電子機器であって、前記筐体と、前記放熱部と、該筐体と該放熱部との間に位置して、それぞれに接触して設けられている熱伝導調整手段と、を備え、前記熱伝導調整手段は、熱伝導部材及び断熱部材からなり、前記筐体と前記放熱部に前記熱伝導部材と前記断熱部材が接触する接触面積を調整することによって、前記放熱部の放熱量を制御することを特徴とする。
【０００７】
本発明に係る電子機器は、前記熱伝導調整手段が、円柱状を有し、該円柱の一部に扇型の前記熱伝導部材、残りの部分に前記断熱部材を配置し、前記円柱の中心に回転軸を設けたことを特徴とする。
【０００８】
本発明に係る電子機器は、前記放熱部が、ハンドストラップであることを特徴とする。
【発明の効果】
【０００９】
本発明に係る電子機器は、上述した構成を備えているため、以下の効果を奏することができる。
【００１０】
筐体内に発生する熱は、熱伝導調整手段によって放熱量を任意に調整して放熱部に伝達されるので、電子機器の発熱状態と電子機器の使用環境に応じて、該放熱部の温度上昇を任意に調整することができる。
【発明を実施するための最良の形態】
【００１１】
以下、本発明に係る電子機器に一実施形態を添付図面を参照して説明する。
【００１２】
図１は、本実施例を説明するためのビデオカメラの斜視図である。
【００１３】
本実施例を説明するためのビデオカメラ１は、光学系を伴うカメラ部１１と、カメラ部１１で撮像された画像（映像）を取り込み記録或いは再生する記録再生部１０とで構成される。記録再生部１０には、表示部１２が備えられている。また、カメラ部１１には、放熱部であるハンドストラップ１４ａが備えられている。
【００１４】
図２は、カメラ部１１の断面図である。
【００１５】
ハンドストラップ１４ａは、放熱部の１部である係止フック１４ｃ及び１４ｄを用いてカメラ部１１に固定されている。筐体３と係止フック１４ｃは、熱伝導調整手段（以下、熱伝導調整部材という）４に接触されており、熱伝導調整部材４は、軸８を中心にして回動可能な状態となっている。
【００１６】
通常、筐体３内に、液晶のバックライトや各種モータ部等の熱発生源が散在している。
【００１７】
上記熱発生源によって発生された熱は、筐体３から熱伝導調整部材４を介して、係止フック１４ｃに伝わり、さらに、係止フック１４ｃ、１４ｄに固定されているハンドストラップ１４ａに伝わり、外部に放熱される。
【００１８】
このように、熱発生源によって発生した熱は、ハンドストラップ１４ａから外部に放熱することができるが、一方、ハンドストラップ１４ａは、上記伝達された熱によって、温度が上昇することになる。このような場合、ハンドストラップ１４ａが熱くなり、ハンドストラップ１４ａを使用している使用者が、デジタルカメラ１を容易に操作できなくなる恐れや手に保持できなくなる恐れがある場合もある。
【００１９】
上記のような状態を防ぐ熱伝導調整部材４の動作について以下に説明する。
【００２０】
図３は、熱伝導調整部材４の構成図である。例えば、熱伝導調整部材４は、図３に示すように、円柱状を有している。そして、熱伝導調整部材４は、所定角度（例えば、９０°の角度）をもった断面が扇型の熱伝導部材９及び断熱部材１０と、回転軸８と、円柱の周囲に鋸型部材７とを備えている。使用者は、鋸型部材７を指で、押し圧力を加えて、回転軸８を中心に熱伝導調整部材４全体を回転させることができる。
【００２１】
なお、熱伝導調整部材４の形状は、例えば、直方体の形状を有してもよく、スライドして熱伝導部材９及び断熱部材１０の位置を変えるようにしてもよい。
【００２２】
また、熱伝導調整部材４は、熱伝導部材９及び断熱部材１０が交互に配置されたものであってもよい。
【００２３】
熱伝導部材４を回転させることによって、熱伝導部材９又は断熱部材１０が筐体３と係止フック１４ｃに接触する位置となるように調整することができる。また、熱伝導部材９又は断熱部材１０の位置を調整することによるハンドストラップ１４ａからの放熱効果については、後述する。
【００２４】
ハンドストラップ１４ａは、係止フック１４ｃを用いず直接、熱伝導調整部材４に接触するようにしてもよい。ハンドストラップ１４ａおよび係止フック１４ｃ、１４ｄは熱伝導のよい材料を用いる。係止フック１４ｃ、１４ｄはＣｕやＡｌ等の金属で形成可能であるが、ハンドストラップ１４ａは、ループ状に形成され、手が触れた際は感触がよいフレキシブルな部材が要求されるので、内部をＣｕやＡｌ細線を織り込んだ平板状の熱伝導材をラミネート材などの被覆材１４ｂで保護したもので作られる。ラミネート材は、ＰＥ（ポリエチレン）等の熱可塑性樹脂をもちいればよい。
【００２５】
下記に、熱伝導部材９と断熱部材１０の位置を調整することによるハンドストラップ１４ａからの放熱効果について説明する。
【００２６】
熱発生源の熱を外部に効率よく放熱するには、筐体３と熱伝導調整部材４と係止フック１４ｃを伝わる熱伝導率を最も高くすればよく、熱伝導調整部材４を回転させ、熱伝導部材９が筐体３と係止フック１４ｃに接触するようにする。この時、熱伝導調整部材４の熱伝導部材９は、筐体３と係止フック１４ｃに最大の接触面積で接触することになる。
【００２７】
また、逆に、放熱を最小限に抑えるには、熱伝導率を最も低くすればよく、熱伝導調整部材４を回転させ、断熱部材１０が筐体３と係止フック１４ｃに接触するようにする。この時、熱伝導調整部材４の熱伝導部材９は、筐体３と係止フック１４ｃに最小の接触面積で接触することになる。
【００２８】
以上説明したように、熱伝導調整部材４を回転させて、筐体３と係止フック１４ｃに接触する熱伝導部材９と断熱部材１０の接触面積比率を変えることにより、ハンドストラップ１４ａからの放熱量を変えることが可能となる。従って、使用者は、ハンドストラップ１４ａを使用して、デジタルカメラ１１を操作している場合に、ハンドストラップ１４ａの温度状態に応じて、熱伝導部材４を回転させて、温度調整を行うことが可能である。
【図面の簡単な説明】
【００２９】
【図１】本発明を説明するビデオカメラの斜視図である。
【図２】本発明を説明するカメラ部の断面図である。
【図３】本発明の熱伝導調整手段の構成図である。
【符号の説明】
【００３０】
１  ビデオカメラ
３  筐体
４  熱伝導調整部材
７  鋸型部材
８  回転軸
９  熱伝導部材
１０  断熱部材
１１  カメラ部
１４  放熱部
１４ａ  ハンドストラップ
１４ｂ  被覆材
１４ｃ、１４ｄ  係止フック
【図１】
2005150244.tif 000003
【図２】
2005150244.tif 000004
【図３】
2005150244.tif 000005